(57)【要約】【課題】  画像の色変化、輝度変化をデータ量の少ない数式で表現することで、適切な画像圧縮を行える技術を提供する。【解決手段】  撮像装置１は、被写体を電子的に撮影する手段２と、この撮影手段により撮影された画像を保存する手段と、保存された画像を表示するための制御手段４とを備える。さらに、この撮像装置１は、画像内の色変化、輝度変化を任意の方向において素子毎に検出し、色、輝度それぞれの情報について、数値化されたテーブルを検索し、数値に置き換える手段と、各素子を座標値に変化し、数値化された情報と合わせてこれを回帰し、回帰数式を作成する手段とを備える。【選択図】        図２
2007096635.tif 000002
【特許請求の範囲】
【請求項１】
被写体を電子的に撮影する手段と、この撮影手段により撮影された画像を保存する手段と、保存された画像を表示するための制御手段とを備えてなる撮像装置において、
画像内の色変化、輝度変化を任意の方向において素子毎に検出し、色、輝度それぞれの情報について、数値化されたテーブルを検索し、数値に置き換える手段と、
各素子を座標値に変化し、数値化された情報と合わせてこれを回帰し、回帰数式を作成する手段とを設けたことを特徴とする撮像装置。
【請求項２】
請求項１記載の撮像装置において、
画像内の所定の領域を指定する手段を設け、
指定された領域内における色変化、輝度変化を任意の方向において素子毎に検出し、色、輝度それぞれの情報について数値化されたテーブルを検索して数値に置き換えるとともに、各素子を座標値に変化し前記数値化された情報と合わせてこれを回帰して回帰数式を作成するように構成したことを特徴とする撮像装置。
【請求項３】
請求項１または請求項２記載の撮像装置において、
撮影待機中の画像の素子数と各素子がもつ明るさをグラフ化して示す手段と、
任意の回帰数式を用いてグラフの補正を行う手段と、
補正されたグラフに応じて撮影画像の露出補正を行う手段とを備えたことを特徴とする撮像装置。
【請求項４】
請求項３記載の撮像装置において、
複数の選択可能な回帰式を記録した記録手段と、
これらの回帰式の中から任意の一つを選択してヒストグラムを補正するグラフ補正手段と、
補正されたグラフに応じて画質を補正する手段とを設けたことを特徴とする撮像装置。
【請求項５】
請求項３記載の撮像装置において、
ヒストグラムを画素のしめる色毎に分けて表示する手段を設けたことを特徴とする撮像装置。
【請求項６】
請求項１ないし請求項５のいずれか１項に記載の撮像装置において、
画像を回帰して数式化することによりデータ量を縮小、圧縮する手段と、
画像のうち、数式化が困難な部位を別の方法でデータ量を縮小、圧縮する手段とを設けたことを特徴とする撮像装置。
【請求項７】
被写体を電子的に撮影する手段と、この撮影手段により撮影された画像を保存する手段と、保存された画像を表示するための制御手段とを備えてなる撮像装置において、
画像内の色変化、輝度変化を任意の方向において素子毎に検出し、色、輝度それぞれの情報について、数値化されたテーブルを検索し、数値に置き換えるステップと、
各素子を座標値に変化し、数値化された情報と合わせてこれを回帰し、回帰数式を作成するステップとを備えていることを特徴とする撮像装置の画像処理方法。
【請求項８】
請求項７記載の撮像装置の画像処理方法において、
画像内の所定の領域を指定するステップと、
指定された領域内における色変化、輝度変化を任意の方向において素子毎に検出し、色、輝度それぞれの情報について数値化されたテーブルを検索して数値に置き換えるとともに、各素子を座標値に変化し前記数値化された情報と合わせてこれを回帰して回帰数式を作成するステップとを備えていることを特徴とする撮像装置の画像処理方法。
【請求項９】
請求項７または請求項８記載の撮像装置の画像処理方法において、
撮影待機中の画像の素子数と各素子がもつ明るさをグラフ化して示すステップと、
任意の回帰数式を用いてグラフの補正を行うステップと、
補正されたグラフに応じて撮影画像の露出補正を行うステップとを備えていることを特徴とする撮像装置の画像処理方法。
【請求項１０】
請求項９記載の撮像装置の画像処理方法において、
複数の選択可能な回帰式を記録した記録手段を備え、その回帰式の中から任意の一つを選択してヒストグラムを補正するステップと、
補正されたグラフに応じて画質を補正するステップとを備えていることを特徴とする撮像装置の画像処理方法。
【請求項１１】
請求項９記載の撮像装置の画像処理方法において、
ヒストグラムを画素のしめる色毎に分けて表示するステップを備えていることを特徴とする撮像装置の画像処理方法。
【請求項１２】
請求項７ないし請求項１１のいずれか１項に記載の撮像装置の画像処理方法において、
画像を回帰して数式化することによりデータ量を縮小、圧縮するステップと、
画像のうち、数式化が困難な部位を別の方法でデータ量を縮小、圧縮するステップとを備えていることを特徴とする撮像装置の画像処理方法。
【発明の詳細な説明】
【技術分野】
【０００１】
本発明は、デジタルスチルカメラのように撮像手段と画像記憶手段と該画像の表示制御を行う制御手段とを備えてなる撮像装置に関し、特に撮影画像を適切かつ確実に圧縮処理することができる機能を備えた撮像装置およびこの撮像装置の画像処理方法に関する。
【背景技術】
【０００２】
デジタルカメラ、特にデジタルスチルカメラが普及の一途を辿っている。この種のデジタルスチルカメラ等の撮像装置が幅広く普及した要因の一つに、デジタルならではの各種処理を行えるということがある。特に、撮影した後の撮影画像の各種の処理や、画像の保存の融通性は、従来の銀塩フィルム式のスチルカメラでは得ることができない大きな利点である。
【０００３】
すなわち、この種のデジタルスチルカメラでは、撮影した画像は撮影した順序でメモリなどの記憶媒体に記憶保存され、番号などのファイル名によって管理されている。そして、この撮影画像ファイルは、カメラ内またはカメラに接続されるパーソナルコンピュータ内の制御手段により適宜呼び出されて再生表示されたり、適宜の画像処理等が行われるようになっている。
【０００４】
特に、この種の撮像装置において、撮影した画像は、適宜の画像処理が行われるとともに、適宜の画像圧縮方法により圧縮処理された後に、装置内に装備した記憶メディア等の記憶手段に記憶されている（例えば、特許文献１、特許文献２参照）。
【０００５】
【特許文献１】特開２００１−６１１４８
【特許文献２】特開２００３−３１９４０２
【発明の開示】
【発明が解決しようとする課題】
【０００６】
しかし、上述した従来のデジタルスチルカメラにおいて、従来一般的に採用されている画像圧縮方法では、その圧縮方法によっては、撮影画像の記憶枚数が増減し、また画質にばらつきを生じることを避けられない、という不具合があった。
【０００７】
本発明はこのような事情に鑑みてなされたものであり、画像圧縮技術として応用可能な画像の色情報、輝度情報を一旦数値化した後、統計的な回帰を実行して数式化することにより、画像の色変化、輝度変化をデータ量の少ない数式で表現し、適切かつ確実な画像圧縮を行える撮像装置およびその画像処理方法を得ることを目的とする。
【課題を解決するための手段】
【０００８】
このような目的に応えるために本発明（請求項１記載の発明）に係る撮像装置は、被写体を電子的に撮影する手段と、この撮影手段により撮影された画像を保存する手段と、保存された画像を表示するための制御手段とを備えてなる撮像装置において、画像内の色変化、輝度変化を任意の方向において素子毎に検出し、色、輝度それぞれの情報について、数値化されたテーブルを検索し、数値に置き換える手段と、各素子を座標値に変化し、数値化された情報と合わせてこれを回帰し、回帰数式を作成する手段とを設けたことを特徴とする。
【０００９】
すなわち、請求項１記載の発明によれば、画像内の色変化、輝度変化を任意の方向に検出してテーブルを参照して数値化し、数値に基づいて回帰式を作成する機能を持たせることにより、回帰式を用いて撮影した画像を圧縮することを可能としている。
【００１０】
本発明（請求項２記載の発明）に係る撮像装置は、上述した請求項１記載の撮像装置において、画像内の所定の領域を指定する手段を設け、指定された領域内における色変化、輝度変化を任意の方向において素子毎に検出し、色、輝度それぞれの情報について数値化されたテーブルを検索して数値に置き換えるとともに、各素子を座標値に変化し前記数値化された情報と合わせてこれを回帰して回帰数式を作成するように構成したことを特徴とする。
【００１１】
すなわち、請求項２記載の発明によれば、任意の画像範囲を指定して、この部分に関しての座標を想定し、色情報、輝度情報を回帰式化する機能を持たせることにより、圧縮する画像の範囲を指定することを可能としている。
【００１２】
本発明（請求項３記載の発明）に係る撮像装置は、上述した請求項１または請求項２記載の撮像装置において、撮影待機中の画像の素子数と各素子がもつ明るさをグラフ化して示す手段と、任意の回帰数式を用いてグラフの補正を行う手段と、補正されたグラフに応じて撮影画像の露出補正を行う手段とを備えたことを特徴とする。
【００１３】
すなわち、請求項３記載の発明によれば、レンズが捕らえている画像の輝度を表すヒストグラム表示機能において、プリセットされた回帰式を用いて画像の輝度を示す機能を持たせることにより、ワンタッチでレンズが捕らえている輝度の調整を行えるようにしている。
【００１４】
本発明（請求項４記載の発明）に係る撮像装置は、上述した請求項３記載の撮像装置において、複数の選択可能な回帰式を記録した記録手段と、これらの回帰式の中から任意の一つを選択してヒストグラムを補正するグラフ補正手段と、補正されたグラフに応じて画質を補正する手段とを設けたことを特徴とする。
【００１５】
すなわち、請求項４記載の発明によれば、画像に施すヒストグラム式を選択可能とすることにより、撮影画像の輝度の調整を数式に応じて変更できるようにしている。
【００１６】
本発明（請求項５記載の発明）に係る撮像装置は、上述した請求項３記載の撮像装置において、ヒストグラムを画素のしめる色毎に分けて表示する手段を設けたことを特徴とする。
【００１７】
すなわち、請求項５記載の発明によれば、ヒストグラム表示する際に、各素子の色情報を含めたヒストグラムを表示する機能を持たせることにより、特定の色を含む素子を明るくする機能を実現できるようにしている。
【００１８】
本発明（請求項６記載の発明）に係る撮像装置は、請求項１ないし請求項５のいずれか１項に記載の撮像装置において、画像を回帰して数式化することによりデータ量を縮小、圧縮する手段と、画像のうち、数式化が困難な部位を別の方法でデータ量を縮小、圧縮する手段とを設けたことを特徴とする。
【００１９】
すなわち、請求項６記載の発明によれば、画像を回帰して数式化することによって画像を圧縮する方法と既存の圧縮方法を組み合わせて画像を圧縮する画像圧縮方法とすることにより、複数の圧縮方式のいいところを採用した画像圧縮を可能としている。
【００２０】
本発明（請求項７記載の発明）に係る撮像装置の画像処理方法は、被写体を電子的に撮影する手段と、この撮影手段により撮影された画像を保存する手段と、保存された画像を表示するための制御手段とを備えてなる撮像装置において、画像内の色変化、輝度変化を任意の方向において素子毎に検出し、色、輝度それぞれの情報について、数値化されたテーブルを検索し、数値に置き換えるステップと、各素子を座標値に変化し、数値化された情報と合わせてこれを回帰し、回帰数式を作成するステップとを備えていることを特徴とする。
【００２１】
本発明（請求項８記載の発明）に係る撮像装置の画像処理方法は、上述した請求項７記載の撮像装置の画像処理方法において、画像内の所定の領域を指定するステップと、指定された領域内における色変化、輝度変化を任意の方向において素子毎に検出し、色、輝度それぞれの情報について数値化されたテーブルを検索して数値に置き換えるとともに、各素子を座標値に変化し前記数値化された情報と合わせてこれを回帰して回帰数式を作成するステップとを備えていることを特徴とする。
【００２２】
本発明（請求項９記載の発明）に係る撮像装置の画像処理方法は、上述した請求項７または請求項８記載の撮像装置の画像処理方法において、撮影待機中の画像の素子数と各素子がもつ明るさをグラフ化して示すステップと、任意の回帰数式を用いてグラフの補正を行うステップと、補正されたグラフに応じて撮影画像の露出補正を行うステップとを備えていることを特徴とする。
【００２３】
本発明（請求項１０記載の発明）に係る撮像装置の画像処理方法は、上述した請求項９記載の撮像装置の画像処理方法において、複数の選択可能な回帰式を記録した記録手段を備え、その回帰式の中から任意の一つを選択してヒストグラムを補正するステップと、補正されたグラフに応じて画質を補正するステップとを備えていることを特徴とする。
【００２４】
本発明（請求項１１記載の発明）に係る撮像装置の画像処理方法は、上述した請求項９記載の撮像装置の画像処理方法において、ヒストグラムを画素のしめる色毎に分けて表示するステップを備えていることを特徴とする。
【００２５】
本発明（請求項１２記載の発明）に係る撮像装置の画像処理方法は、上述した請求項７ないし請求項１１のいずれか１項に記載の撮像装置の画像処理方法において、画像を回帰して数式化することによりデータ量を縮小、圧縮するステップと、画像のうち、数式化が困難な部位を別の方法でデータ量を縮小、圧縮するステップとを備えていることを特徴とする。
【発明の効果】
【００２６】
以上説明したように本発明に係る撮像装置およびこの撮像装置の画像処理方法によれば、画像圧縮技術として応用可能な画像の色情報、輝度情報を一旦数値化した後、統計的な回帰を実行して数式化することにより、画像の色変化、輝度変化をデータ量の少ない数式で表現でき、これにより適切かつ確実な画像圧縮処理を行えるという優れた効果を奏する。
【００２７】
すなわち、本発明によれば、画像内の色変化、輝度変化を任意の方向に検出してテーブルを参照して数値化し、数値に基づいて回帰式を作成する機能を持たせることで、回帰式を用いて撮影した画像を所要の状態で圧縮することができるのである。
【００２８】
また、本発明によれば、任意の画像範囲を指定して、この部分に関しての座標を想定し、色情報、輝度情報を回帰式化する機能を持たせることで、圧縮する画像の範囲を指定することができるのである。
さらに、本発明によれば、レンズが捕らえている画像の輝度を表すヒストグラム表示機能において、プリセットされた回帰式を用いて画像の輝度を示す機能を持たせることで、ワンタッチでレンズが捕らえている輝度の調整を行えるのである。
【００２９】
また、本発明によれば、画像に施すヒストグラム式を選択可能とすることで、撮影画像の輝度の調整を数式に応じて変更することができるのである。
さらに、本発明によれば、ヒストグラム表示する際に、各素子の色情報を含めたヒストグラムを表示する機能を持たせることで、特定の色を含む素子を明るくする機能を実現できるのである。
【００３０】
また、本発明によれば、画像を回帰して数式化することによって画像を圧縮する方法と既存の圧縮方法を組み合わせて画像を圧縮することで、複数の圧縮方式のいいところを採用した画像圧縮が可能となり、その利点は大きい。
【発明を実施するための最良の形態】
【００３１】
（第１実施形態）
図１ないし図３は本発明に係る撮像装置およびその画像処理方法の第１実施形態を示す。
これらの図において、デジタルスチルカメラとしての撮像装置１の内部回路は、概略図３に示すように構成されている。
すなわち、この種の撮像装置１は、画像をデジタル的に撮影する撮影手段としてのＣＣＤ２を備え、ここで撮像された撮影画像は、ＣＣＤ制御回路３を介して制御手段としてのＣＰＵ４に送られるように構成されている。５は図示しない撮影レンズを駆動制御するレンズ制御回路であり、ＣＰＵ４により制御されることにより、所要の撮影画像が得られるようになっている。
【００３２】
６は記憶手段としてのＤＲＡＭ、７は記憶メディア等の外部記憶装置であり、前記ＣＣＤ２で撮影された撮影画像は、これらのＤＲＡＭ６や外部記憶装置７に順次記憶されるように構成されている。
【００３３】
１０は表示手段としてのＬＣＤであり、液晶駆動回路１１により駆動制御されることにより、撮像装置１としての必要な表示内容の表示は勿論、前記撮影画像、記憶した撮影画像等を表示するように構成されている。１２は外部出力部、１３は表示バッファであり、ＬＣＤ１０への表示内容を外部出力したり、表示内容を一時的に記憶したりする。
【００３４】
さらに、この実施形態では、撮像装置１は、Ｉ／Ｏポート１４、通信制御回路１５を備えており、通信手段として外部との通信を行えるように構成されている。
【００３５】
このような構成による撮像装置１では、撮影レンズを通してカメラ内に取り込まれた光は、ＣＣＤ２を通して電気信号に変換される。変換された電気信号は、内部処理でＡ−Ｄ変換が実施されて処理可能な状態となり、カメラの表示手段であるＬＣＤ１０に表示される。この状態において、各種画像処理を実行した後、撮影ボタンを実行すると、画像の圧縮処理が行われて記憶手段であるＤＲＡＭ６や外部記憶装置７等に記憶保存されることになるのである。
【００３６】
さて、本発明によれば、上述した構成による撮像装置１において、この装置１は、保存された画像を表示するための制御手段をＣＰＵ４内に備えるとともに、撮影画像内の色変化、輝度変化を任意の方向において素子毎に検出し、色、輝度それぞれの情報について、数値化されたテーブルを検索し、数値に置き換える手段と、各素子を座標値に変化し、数値化された情報と合わせてこれを回帰し、回帰数式を作成する手段とを設けたことを特徴としている。
【００３７】
すなわち、本発明によれば、画像内の色変化、輝度変化を任意の方向に検出してテーブルを参照して数値化し、数値に基づいて回帰式を作成する機能を持たせたものである。
【００３８】
これを図１等を用いて詳述すると、たとえば、画像を上から順に横方向へ１ドットずつ解析する。検出されたドットの色、輝度はそれぞれカメラ内部のデータテーブルを参照して数値化される。その状態が図１の（ａ）に示す。
この数値は、ＲＧＢ成分やＹＣＭ成分に分解したとき、その成分の含有率が近い場合に数値が近くなるように、データテーブルに値が書き込まれている。画像を横方向に解析していく場合、横方向に似た色や輝度が続くと、数値化した際に近い値が連続することになる。この状態は、図１の（ｂ）、（ｃ）に示す通りである。
【００３９】
各ドットには、横方向に順に番号が与えられていて、この解析が一番右まで終了すると、横方向に各ドットに与えられている番号をｘ座標、解析の結果得られた各数値をｙ座標に置き換えて、統計的な回帰を実行する。
【００４０】
回帰モデルとして、カメラ内部には、ｙ＝Ａｘ＋Ｂ、ｙ＝ａｘ2＋ｂｘ＋ｃなど、予め複数の数式が記憶されており、全数式に対して回帰を行う。
回帰が行われた後、各数式モデルに対して残差が算出され、残差の最も小さいものが最適なモデリングとして登録される。回帰は輝度、色両方について行われ、全縦方向の表示ドットについて数式が作成されて記憶されることになる。この状態が、図１の（ｄ）に示す状態である。
【００４１】
このような撮像装置１における回帰式を用いた撮影画像の圧縮は、以下のようにして行われる。すなわち、図２中ａで示すように画像の再生モードがオン操作されると、カメラ内では、Ｓ１０１でこの操作を検知し、Ｓ１０２で画像の表示処理を行う。ユーザが画像解析処理ｂの操作を行うと、これをＳ１０３で検知し、Ｓ１０４の画像解析モードの開始処理が行われる。そして、Ｓ１０５に進んで座標値のセットが行われ、Ｓ１０６でセットされた座標値の色の検出が行われ、Ｓ１０７で検出された色をテーブルから検索し、Ｓ１０８で該当する数値の読み込みを行い、Ｓ１０９で座標値データ、数値データを記憶バッファへ出力する。
【００４２】
そして、Ｓ１１０において、全画素解析が済みであるか否かの判断が行われ、済んでいれば、Ｓ１１１で回帰式の算出を行い、Ｓ１１２でその回帰式を記憶エリアへ出力する。済んでいなければ、Ｓ１１３で座標値の更新を行った後、Ｓ１０６に戻り、Ｓ１０６以下のステップを繰り返す。
【００４３】
そして、このような本発明による撮像装置１によれば、画像内の色変化、輝度変化を任意の方向に検出してテーブルを参照して数値化し、数値に基づいて回帰式を作成する機能を持ち、回帰式を用いて撮影した画像を精度よく圧縮することが可能となるのである。
【００４４】
（第２実施形態）
図４および図５は本発明の第２実施形態を示す。
この実施形態では、上述した第１実施形態での数式化を画像の一部に対して行う機能を、撮像装置１に持たせたものである。すなわち、カメラなどで撮影された画像の一部を、図４の（ａ）、（ｂ）に示すように、スタイラス等で範囲指定し、この指定された範囲について、上記の第１実施形態での処理を施すことにより、図４の（ｃ）に示すように、部分的な画像の解析を行うものである。
【００４５】
これを詳述すると、この実施形態での撮像装置１は、上述した請求項１記載の撮像装置において、画像内の所定の領域を指定する手段を設け、指定された領域内における色変化、輝度変化を任意の方向において素子毎に検出し、色、輝度それぞれの情報について数値化されたテーブルを検索して数値に置き換えるとともに、各素子を座標値に変化し前記数値化された情報と合わせてこれを回帰して回帰数式を作成するように構成したことを特徴とする。
【００４６】
このような画像の処理は、図５に示すように行われる。ここで、前述した図２と同等の処理ステップには同一番号を付して説明は省略する。
すなわち、この実施形態では、前述した図２の処理ステップにおいて、Ｓ１０４とＳ１０５との間に、ユーザの範囲指定処理ｃの操作が行われたことを検知するステップＳ１２１を設け、この検知が行われたときに、指定範囲の座標値を解析し、範囲バッファへ出力するＳ１２２を設けたものである。
【００４７】
そして、このような実施形態では、任意の画像範囲を指定し、この部分に関しての座標を想定して、色情報、輝度情報を回帰式化する機能により、圧縮する画像の範囲を指定することが可能となるのである。
【００４８】
（第３実施形態）
図６および図７は本発明の第３実施形態を示すものであり、これらの図において前述した図１、図２、図４、図５と同一または同等の部分には同一番号を付して詳細な説明は省略する。
【００４９】
この実施形態では、ヒストグラム表示を、回帰式によって平滑化し、なめらかな輝度変化の画像撮影を支援する機能を、撮像装置１に持たせている。
すなわち、デジタルスチルカメラには、リアルタイムヒストグラムという機能を備えている。これは、縦軸に画素数を、横軸に画素の明るさをとってグラフ化するものであり、グラフの分布が平坦に近くなるように各種設定を調整して撮影することにより、適度な明るさの画像を撮影することができるようにする機能である。
【００５０】
この実施形態では、カメラでヒストグラムを表示した後、予めカメラにプリセットされている回帰数式の中から任意のものを選択することにより、ヒストグラムにこれを適用した場合にどのような設定が必要かをカメラが判別し、回帰数式に一致する画像撮影設定を自動的に設定できるようにしている。この状態を、図６の（ａ）（ｂ）に示している。
【００５１】
すなわち、この実施形態での撮像装置１によれば、上述した請求項１または請求項２記載の撮像装置において、撮影待機中の画像の素子数と各素子がもつ明るさをグラフ化して示す手段と、任意の回帰数式を用いてグラフの補正を行う手段と、補正されたグラフに応じて撮影画像の露出補正を行う手段とを備えているのである。
【００５２】
そして、このような撮像装置１では、図７に示すような処理が行われる。すなわち、画像撮影モードのオン操作ａが行われ、これがＳ１０１で検知されると、Ｓ１０２で画像の表示処理が行われる。この状態で、ヒストグラム起動操作ｂが操作されると、Ｓ１３１で検知され、Ｓ１３２のヒストグラム表示処理が行われる。
【００５３】
プリセット回帰式呼び出し処理を行う旨の操作ｆが行われると、Ｓ１３３で検知され、Ｓ１３４でヒストグラム補正処理が行われ、これに伴い、Ｓ１３５でカメラ設定の変更処理が行われることになる。
【００５４】
このようにすれば、レンズが捕らえている画像の輝度を表すヒストグラム表示機能において、プリセットされた回帰式を用いて画像の輝度を示す機能により、ワンタッチでレンズが捕らえている輝度の調整が可能となるのである。
【００５５】
（第４実施形態）
図８および図９は本発明の第４実施形態を示す。
この実施形態では、プリセットされた回帰式をヒストグラムに施すことにより、輝度の調整を行う機能を、撮像装置１に持たせている。すなわち、レンズが画像を捕らえた状態で、リアルタイムヒストグラムを表示する。この状態で、複数のプリセット式を表示し、任意のものを選択する。任意の式を選択すると、その回帰式に応じてヒストグラムが補正され、輝度が調整されるのである。
【００５６】
これを詳述すると、この実施形態での撮像装置１は、上述した請求項３記載の撮像装置において、複数の選択可能な回帰式を記録した記録手段と、これらの回帰式の中から任意の一つを選択してヒストグラムを補正するグラフ補正手段と、補正されたグラフに応じて画質を補正する手段とを設けている。このようにすれば、撮影画像の輝度の調整を数式に応じて変更することが可能となるのである。
【００５７】
図８中、（ａ）に示すようにヒストグラムを表示し、（ｂ）で示すように複数の回帰式のなかから任意のヒストグラムを選択し、（ｃ）に示すように選択された回帰式でヒストグラムを補正し、ヒストグラムに応じて画像を補正するものである。
【００５８】
図９中、前述した図７と相違することは、プリセット回帰式の呼び出し処理操作ｆが行われ、これがＳ１３３で検知されると、Ｓ１４１に進み、プリセット数式の表示処理を行い、そのプリセット回帰式の選択処理操作ｇが行われたことをＳ１４２で検知されると、Ｓ１４３の表示更新処理に進み、次いでＳ１３４のヒストグラム補正処理、Ｓ１３５のカメラ設定の変更処理に進むようになっている。
【００５９】
（第５実施形態）
図１０および図１１は本発明の第５実施形態を示す。
この実施形態では、ヒストグラムを表示する際に、各素子の色情報を含めた状態で表示する機能を、撮像装置１に持たせたものである。
【００６０】
すなわち、カメラのリアルタイムヒストグラムは、通常、白色の棒グラフで示される。この実施形態では、この棒グラフを色分け表示するようにし、これにより輝度分布と色の分布とを同時に確認し、上述した第４実施形態で説明した回帰のいずれに当てはめるのかが適切かを検証できるようにしたものである。
このようにすれば、特定の色を含む素子を明るくする機能の実現が可能となる。
【００６１】
ここで、図１０（ａ）は通常のヒストグラム表示を、（ｂ）はヒストグラムを色分け表示した状態を示す。
また、図１１において、ｈで示すヒストグラム表示設定がオン操作されると、Ｓ１５１でこれを検知し、Ｓ１５２で輝度情報の解析が行われる。そして、Ｓ１５３で各輝度毎の色情報の解析が行われ、Ｓ１５４でヒストグラムデータの作成が行われ、Ｓ１５５で色分けされたヒストグラム出力が行われるのである。
【００６２】
（第６実施形態）
図１２および図１３は本発明の第６実施形態を示す。
この実施形態では、複数の画像圧縮方法を用いて画像を圧縮する機能を、撮像装置１に持たせている。
【００６３】
すなわち、画像を圧縮する際に、画像全体で前述した第１実施形態でのような回帰を行うが、このような回帰を行うことによって、回帰式として判別することが可能な部分と、そうでない部分とに画像を分割し、図１２に示すように、回帰式で圧縮できる部分は回帰式で圧縮し、そうでない部分は別の方法を用いて画像を圧縮するようにしたものである。
【００６４】
換言すれば、撮像装置１に、画像を回帰して数式化することによりデータ量を縮小、圧縮する手段と、画像のうち、数式化が困難な部位を別の方法でデータ量を縮小、圧縮する手段とを設け、画像を回帰して数式化することによって画像を圧縮する方法と既存の圧縮方法を組み合わせて画像を圧縮する画像圧縮方法である。
このようにすれば、複数の圧縮方式のいいところを採用した画像圧縮が可能となる。
【００６５】
ここで、図１３による処理ステップを簡単に説明する。
ユーザが撮影モードのオン操作ｉをし、これをＳ１６１で検知すると、Ｓ１６２の撮影待機状態処理になる。この状態でシャッタオン操作ｊが行われ、Ｓ１６３で検知されると、Ｓ１６４の画像撮影処理に進む。
【００６６】
次に、Ｓ１６５の色テーブルの検索が行われ、Ｓ１６６で画素の色情報、輝度情報を数値化し、Ｓ１６７で一方向全画素の解析が終了したか否かが判断される。終了していれば、Ｓ１６８で回帰可能か否かが判断され、回帰可能であれば、Ｓ１６９で回帰式の作成が行われる。そして、Ｓ１７０で全画素が終了したか否かが判断され、Ｓ１７１でデータが記憶メディアに出力される。
【００６７】
Ｓ１６７で一方向全画素の解析が終了していないと判断されると、Ｓ１７２で解析する画素の切替が行われ、Ｓ１６５に戻る。
また、Ｓ１６８で回帰可能でないと判断されると、Ｓ１７３で別の圧縮方向の選択、および圧縮処理が行われて、Ｓ１７０に進む。
さらに、Ｓ１７０で全画素の処理が終了していないと判断されると、Ｓ１７４で解析する列の切替が行われてから、Ｓ１６４に戻る。
【００６８】
なお、本発明は上述した実施の形態で説明した構造には限定されず、撮像装置１を構成する各部の形状、構造等を適宜変形、変更し得ることはいうまでもない。
【００６９】
たとえば、前述した第４〜第６実施形態で説明したヒストグラムに回帰式を施す場合において、フラッシュ等を用いた閃光撮影を行う際に、その機能を有効としたときにヒストグラムがどのように変化するのかを推測し、その補正表示を行うことができるようにすると、撮影画像をより一層適切に補正することができる等の利点がある。このような利点は、たとえば露出補正、フィルム感度等の補正でも同様である。
【図面の簡単な説明】
【００７０】
【図１】本発明に係る撮像装置およびその画像処理方法の第１実施形態を示し、（ａ）〜（ｄ）は色情報を数式で回帰する処理を説明するための概略図である。
【図２】図１の撮像装置においての画像処理方法を説明するためのフローチャートである。
【図３】本発明に係る撮像装置およびその画像処理方法の内部回路を説明するための概略図である。
【図４】本発明に係る撮像装置およびその画像処理方法の第２実施形態を示し、（ａ）〜（ｃ）は色情報、輝度情報を数式で回帰する処理を説明するための概略図である。
【図５】図４の撮像装置においての画像処理方法を説明するためのフローチャートである。
【図６】本発明に係る撮像装置およびその画像処理方法の第３実施形態を示し、（ａ）、（ｂ）はヒストグラム表示、その補正処理を説明するための概略図である。
【図７】図６の撮像装置においての画像処理方法を説明するためのフローチャートである。
【図８】本発明に係る撮像装置およびその画像処理方法の第４実施形態を示し、（ａ）〜（ｃ）はヒストグラム表示処理を説明するための概略図である。
【図９】図８の撮像装置においての画像処理方法を説明するためのフローチャートである。
【図１０】本発明に係る撮像装置およびその画像処理方法の第５実施形態を示し、（ａ）、（ｂ）は色バランスを確認しながらの輝度調整を行う処理を説明するための概略図である。
【図１１】図１０の撮像装置においての画像処理方法を説明するためのフローチャートである。
【図１２】本発明に係る撮像装置およびその画像処理方法の第６実施形態を示し、この実施形態での画像圧縮処理を説明するための概略図である。
【図１３】図１２の撮像装置においての画像処理方法を説明するためのフローチャートである。
【符号の説明】
【００７１】
１  撮像装置（デジタルスチルカメラ）
２  ＣＣＤ（撮影手段）
４  ＣＰＵ（制御手段）
６  ＤＲＡＭ（記憶手段）
７  外部記憶装置（記憶手段）
１０  ＬＣＤ（表示手段）
【図１】
2007096635.tif 000003
【図２】
2007096635.tif 000004
【図３】
2007096635.tif 000005
【図４】
2007096635.tif 000006
【図５】
2007096635.tif 000007
【図６】
2007096635.tif 000008
【図７】
2007096635.tif 000009
【図８】
2007096635.tif 000010
【図９】
2007096635.tif 000011
【図１０】
2007096635.tif 000012
【図１１】
2007096635.tif 000013
【図１２】
2007096635.tif 000014
【図１３】
2007096635.tif 000015